(57)【要約】【課題】被検者が緊張をしないで自然な状態の中で、撮影・測定開始のタイミングを被検者に提示を可能とし、撮影・測定が順調に遂行でき測定結果に信頼性のある装置を提供すること。更に被検眼の閉瞼・開瞼検知手段を設け測定結果に安定性のある装置を提供すること。【解決手段】撮影・測定開始前後で固視標を切り替えて被検者に提示する固視標の駆動手段と、該駆動手段に撮影・測定開始前後で動作指示を与える制御手段を有し、該制御手段が撮影・測定開始手段と固視標を連動させていることを特徴とする。更に前記装置は、被検眼に光束を照射し被検眼での反射光束を受光する検出手段と、該検出手段の出力信号を光量値として数値化する変換手段と、該変換手段で数値化された光量を判別する判別手段とを備え、該判別手段で開瞼が判別されてから所定時間経過後に撮影・測定を開始し、閉瞼においては撮影・測定を停止する機能を有していることを特徴とする。【選択図】        図１
2005006892.tif 000002
【特許請求の範囲】
【請求項１】
撮影・測定開始手段と連動する少なくとも２つ以上の固視標を切り替えて被検者に提示する制御手段を有することを特徴とする眼科装置。
【請求項２】
被検眼に光束を照射し被検眼の前眼部からの反射光束の一部を受光する検出手段と、該検出手段の出力信号を光量値として数値化する変換手段と、光量値を判別する判別手段を有することを特徴とする請求項１に記載の眼科装置。
【請求項３】
前記判別手段は、開瞼を認識して所定時間経過後に撮影・測定を開始するようにした請求項２に記載の眼科装置。
【請求項４】
前記判別手段は、その判別結果により異常を認識した場合に、所定の検査又は測定を停止させるようにした請求項３に記載の眼科装置。
【発明の詳細な説明】
【０００１】
【発明の属する技術分野】
本発明は、撮影・測定開始のタイミングを撮影・測定開始手段と連動した固視標を切り替えることで被検者に明確に提示する機能と被検眼の閉瞼・開瞼を検知する機能が複合する眼科装置に関する。
【０００２】
【従来の技術】
眼科装置において被検眼の撮影・測定時に、被検者は撮影・測定開始のタイミングを被検者自身が予測の範囲で認知するか、あるいは眼科医師の助言で認知している。
【０００３】
【特許文献１】
特開平０５−０５６９２１号公報
【特許文献２】
特開平０５−１３７６９５号公報
【特許文献３】
特開平０５−１６８５９７号公報
【０００４】
【発明が解決しようとする課題】
しかしながら、撮影・測定時における被検眼の瞬きや被検眼の瞳孔にかかってしまう被検者の睫毛、長時間被検眼を開検することにより誘起される涙液の乾燥状態などの原因により、被検眼の測定結果にエラーが生じてしまう。このことは測定時間の超過による検者・被検者への負担、測定結果の信頼性欠如などの要因が問題視されている。
【０００５】
その問題に対する現行の対策としては、撮影・測定中は被検者が瞬きを我慢して被検眼を開瞼状態にしておくということ、被検眼の涙液乾燥状態を避けるために被検者に瞬きを促す助言を検者の熟練度等に頼るということが挙げられるが、このことは検者・被検者共にかかる負荷は大きい。
【０００６】
本発明の目的は、被検者が緊張をしないで自然な状態の中で、検者がその熟練度等に関係なく、撮影・測定開始のタイミングを被検者に提示することを可能とし、撮影・測定時における被検眼の瞬きや被検眼の瞳孔にかかる被検者の睫毛、涙液の乾燥状態が無く、撮影・測定が順調に遂行でき測定結果に信頼性のある装置を提供することにある。更に被検眼の閉瞼・開瞼を検知し、開瞼検知をして所定時間経過後に撮影・測定を開始する機能を複合させ測定結果に安定性のある装置を提供することにある。
【０００７】
【課題を解決するための手段】
上述の目的を達成するための発明に係る眼科装置は、撮影・測定開始前後で固視標を切り替えて被検者に提示する固視標の駆動手段と、該駆動手段に撮影・測定開始前後で動作指示を与える制御手段を有し、該制御手段が撮影・測定開始手段と固視標を連動させていることを特徴とする。
【０００８】
更に前記眼科装置は、被検眼に光束を照射し被検眼での反射光束を受光する検出手段と、該検出手段の出力信号を光量値として数値化する変換手段と、該変換手段で数値化された光量を判別する判別手段とを備え、該判別手段で開瞼が判別されてから所定時間経過後に撮影・測定を開始し、閉瞼においては撮影・測定を停止する機能を有していることを特徴とする。
【０００９】
【発明の実施の形態】
上述の構成を有する眼科装置は、撮影・測定開始前では固視標は撮影・測定開始前を被検者に提示する画像となっている。撮影・測定開始手段によって撮影・測定開始に移る直前に、撮影・測定開始手段から信号を受け取った前記制御手段が前記駆動手段に動作指示を与え、固視標は撮影・測定開始を被検者に提示する画像に切り替わる。
更に前記眼科装置は、被検眼に光束を照射し被検眼の前眼部からの反射光束を前記検出手段により受光し、前記検出手段による出力信号は変換手段により光量値として数値化され、判別手段により光量値が０から任意の数字に変化した時、つまり閉瞼から開瞼への移行が判別されてから所定時間経過後に撮影・測定を開始する。
【００１０】
前記判別手段により光量値が０である状態、つまり閉瞼状態においては撮影・測定を停止する。
【００１１】
（実施例）
本発明を図示の実施例に基づいて詳細に説明する。図１は本発明をオートレフケラトメーターに応用した実施例の構成図であり、被検眼Ｅと対向している光分割ミラー１の反射先の光路上には、固視標・ケラト測定・前眼部観察対物レンズ２、ダイクロイックミラー３ａ、３ｂ、凸レンズ４、視度調整用移動レンズ５、固視標６、白色ＬＥＤ７が配置されている。光分割ミラー１の背後の光路上は図１に図示されていないレフラクト測定系１４が、ダイクロイックミラー３ａの反射方向には図１に図示されていないケラト測定系１４が配置されている。視度調整用移動レンズ５と固視標６にはそれぞれ駆動手段８、９が配置されており、駆動手段８，９に動作指示を出す制御手段１０を介してモードスイッチ１１、測定開始スイッチ１２、測定結果をプリントアウトする時のプリンタースイッチ１３が連結されている。レフラクト・ケラト測定により得られた結果や被検眼の光量を演算するマイクロコンピューター１６、記憶手段としてのメモリ１５はインターフェース１７を介してモニター１８と連結されている。
固視標６はレンチュキラー印刷が施してあり、被検者が見る角度によって固視標６の画像が変化する。図２は測定開始前における、角度をもった固視標６ａを示すものである。図３は測定中における、角度をもった固視標６ｂを示すものである。図４は固視標６ａの画像を示したものであり、被検者に測定開始前を提示するものである。図５は固視標６ｂの画像を示したものであり、被検者に測定中を提示するものである。測定開始スイッチ１２により測定開始の信号を制御手段１０に伝え、それにより制御手段１０は駆動手段９に動作指示を与え固視標６の光軸に対する角度を変化させることで画像を切り替えて被検者に測定開始前と測定中を提示する。
【００１２】
加えて、図１の構成図には観察用光源２１により被検眼を照射し、被検眼での反射光束の一部を受光する検知手段２２が配置されている。この検知手段２２により検知された光量はマイクロコンピューターにより光量値として算出され、被検眼が閉瞼状態のときは光量０となり、開瞼が検知されてから所定時間経過後に測定を開始する。光量が０の状態では測定開始を禁止する。
【００１３】
制御手段１０によって固視標を切り替えて提示することで被検者に測定開始前と測定中を認識させることと検知手段２２による開瞼検知機能を兼ね備えることで、測定時におけるエラーを減少させることができる。
【００１４】
本実施例では固視標にレンチキュラー印刷を用いて測定開始前と測定中であることを被検者に提示したが、その他の実施例として図６に示すようにハーフミラー２３に駆動手段９を設置し、測定開始スイッチ１２により制御手段１０を介して駆動手段９に動作指示を与えることで測定開始前と測定中を被検者に提示する方法もある。ここで７ａ、７ｂはともに白色ＬＥＤである。
【００１５】
また、本実施例では固視標の画像に人眼のアニメーションを用いたが、測定開始前と測定中が区別されている画像であるなら何でもよい。
【００１６】
【発明の効果】
以上説明したように本発明に係る眼科装置は、測定開始手段と固視標を変化させる駆動手段の制御手段による連動を可能としたため、検者が被検者に正確なタイミングでの測定開始を伝達することで測定がスムーズにかつ安定して行われ、検者・被検者への負荷を軽減させることが可能となる。
【００１７】
更に、被検眼の閉瞼・開瞼検知手段により被検眼の開瞼検知後の所定時間経過後に測定開始を行うことを可能としたため、被検眼の測定結果の信頼性が向上する。
【図面の簡単な説明】
【図１】本発明の実施例の構成図である。
【図２】測定開始前の固視標を示す図である。
【図３】測定中の固視標を示す図である。
【図４】測定開始前の固視標の画像を示す図である。
【図５】測定中の固視標の画像を示す図である。
【図６】その他の実施例の構成図である。
【符号の説明】
Ｅ  被検眼
１  光分割ミラー
２  固視標・ケラト測定・前眼部観察対物レンズ
３ａ、３ｂ  ダイクロイックミラー
４  凸レンズ
５  視度調整用レンズ
６  固視標
７  白色ＬＥＤ
８  視度調整用移動レンズの駆動手段
９  固視標の駆動手段
１０  駆動手段８、９を制御する制御手段
１１  測定の設定条件を決定するモードスイッチ
１２  測定開始スイッチ
１３  プリンタースイッチ
１４  レフラクト・ケラト測定系
１５  メモリ
１６  マイクロコンピューター
１７  インターフェース
１８  モニター
１９  ダイクロイックミラー
２０  ハーフミラー
２１  観察用光源
２２  検知手段
２３  ハーフミラー
【図１】
2005006892.tif 000003
【図２】
2005006892.tif 000004
【図３】
2005006892.tif 000005
【図４】
2005006892.tif 000006
【図５】
2005006892.tif 000007
【図６】
2005006892.tif 000008